(57)【要約】【課題】ユーザが自由に電源コイルを移動させることができ、ユーザに電源コイルの位置を視覚的に把握させることができる充電装置を提供する。【解決手段】充電装置１０は、被充電機器１００が載置される充電面１１と、充電面１１上に誘導磁界を発生させる電源コイル１２と、電源コイル１２を充電面１１に沿って移動させる駆動部１３と、ユーザからの電源コイル１２を移動させる指示の入力を受け付ける入力手段１１ｂと、電源コイル１２の位置をコイル位置として検知するコイル検知部１４と、充電面１１に設けられた表示部１１ａとを備えている。表示部１１ａは、コイル検知部１４の検知結果に基づいて、コイル位置を示すコイル図形を表示する。【選択図】図１
2013243792.tif 000002
【特許請求の範囲】
【請求項１】
被充電機器が載置される充電面と、前記充電面上に誘導磁界を発生させる電源コイルとを備え、前記充電面に載置された被充電機器を充電する充電装置であって、
前記電源コイルを前記充電面に沿って移動させる駆動部と、
ユーザからの前記電源コイルを移動させる指示の入力を受け付ける入力手段と、
前記電源コイルの位置をコイル位置として検知するコイル検知部と、
前記充電面に設けられた表示部とを備え、
前記表示部は、前記コイル検知部の検知結果に基づいて、前記コイル位置を示すコイル図形を表示すること
を特徴とする充電装置。
【請求項２】
請求項１に記載の充電装置であって、
前記充電面に被充電機器が載置されたことを検知する機器検知部と、
前記電源コイルに電力を供給するか否かを判断する供給判断手段とを備え、
前記供給判断手段は、前記機器検知部の検知結果に基づいて、前記電源コイルへの電力の供給を開始させること
を特徴とする充電装置。
【請求項３】
請求項２に記載の充電装置であって、
前記充電面に載置された被充電機器と通信する通信手段と、
前記通信手段を介して前記被充電機器の充電量を判断する充電量判断手段とを備え、
前記供給判断手段は、前記充電量判断手段の判断結果に基づいて、前記電源コイルへの電力の供給を停止させること
を特徴とする充電装置。
【請求項４】
請求項３に記載の充電装置であって、
前記充電量判断手段は、前記充電量に基づいて、前記被充電機器の充電が完了したと判断すること
を特徴とする充電装置。
【請求項５】
請求項２から請求項４までのいずれか１つに記載の充電装置であって、
前記コイル図形の色を選択する図形色選択手段を備え、
前記図形色選択手段は、前記電源コイルに電力が供給されたとき、前記コイル図形の色を変更すること
を特徴とする充電装置。
【請求項６】
請求項５に記載の充電装置であって、
前記図形色選択手段は、前記電源コイルへの電力の供給が停止されたとき、前記コイル図形の色を変更すること
を特徴とする充電装置。
【請求項７】
請求項２から請求項４までのいずれか１つに記載の充電装置であって、
前記表示部は、前記電源コイルに電力が供給されている間、前記コイル図形の表示を取り消すこと
を特徴とする充電装置。
【請求項８】
請求項１から請求項７までのいずれか１つに記載の充電装置であって、
ユーザの接近を検知するユーザ検知部を備え、
前記表示部は、前記ユーザ検知部の検知結果に基づいて、前記コイル図形を表示すること
を特徴とする充電装置。
【請求項９】
請求項１から請求項８までのいずれか１つに記載の充電装置であって、
前記充電面は、前記表示部と前記入力手段とが一体とされたタッチパネルで構成されていること
を特徴とする充電装置。
【発明の詳細な説明】
【技術分野】
【０００１】
本発明は、充電面に載置された被充電機器を充電する充電装置に関する。
【背景技術】
【０００２】
近年、デジタルカメラや携帯電話等の電子機器においては、充電して再利用できる二次電池が搭載されており、コンセントに繋ぐことなく使用できることで、携帯性や利便性を向上させている。二次電池の充電方法としては、接触充電方式と非接触充電方式とがあり、一般的には、単純な装置構造であることなどから、接触充電方式が広く用いられているが、電子機器と接続するための端子などが必要となる。そこで、現在では、非接触充電方式を採用した様々な充電装置が開発されている（例えば、特許文献１ないし特許文献４参照。）。
【先行技術文献】
【特許文献】
【０００３】
【特許文献１】特開２０１１−１２５１５５号公報
【特許文献２】特開２０１０−２２１０５号公報
【特許文献３】特開２００９−１５９６８６号公報
【特許文献４】特開２００９−２４７１９４号公報
【発明の概要】
【発明が解決しようとする課題】
【０００４】
特許文献１に記載の充電システムでは、机上の給電エリア内に設定された複数の発生ポイントのそれぞれに一次コイルが配置され、一次コイルを介して給電エリア内に誘導磁界を発生させている。そして、給電エリア内に載置された充電パッドまたは非接触充電対応携帯端末に組み込まれた充電モジュールは、誘導磁界と結合して充電電流を発生させている。しかしながら、特許文献１の充電システムでは、一次コイルの位置に応じて給電エリアが制約されるため、充電パッドおよび非接触充電対応携帯端末の形状やサイズに応じて給電エリアを変更することができないという課題がある。
【０００５】
また、特許文献２に記載の充電装置では、複数の被充電機器が載置されるステージの複数の充電ポイント毎に一次コイルが設けられており、被充電機器から取得した充電設定情報に基づいて、優先的に充電する被充電機器を選択する。しかしながら、特許文献２の充電装置では、充電ポイントに応じてステージに枠が形成されており、被充電機器を載置する位置が枠に制約されるという課題がある。
【０００６】
また、特許文献３に記載の非接触給電アダプタは、建屋の壁などのパネル内に配置された非接触給電部に対して、磁石等の取付手段によって着脱自在に取り付けられ、電気機器が装着される凹部を備えている。しかしながら、特許文献３の非接触給電アダプタは、取り付け位置が非接触給電部の位置に限定されるという課題がある。
【０００７】
また、特許文献４に記載の充電台は、電池内蔵機器の誘導コイルに起電力を誘導する電源コイルと、上面に電池内蔵機器を載せる上面プレートを有するケースと、電源コイルを上面プレートの内面に沿って移動させる移動機構と、上面プレートに載置された電池内蔵機器の位置を検出して電源コイルを誘導コイルに接近させる位置検出制御器とを備えている。しかしながら、特許文献４の充電台では、位置検出制御器によって電源コイルの位置が制御されるため、ユーザが意図した位置に電源コイルを移動させることができないという課題がある。
【０００８】
本発明は、上記の課題を解決するためになされたものであり、ユーザが自由に電源コイルを移動させることができ、ユーザに電源コイルの位置を視覚的に把握させることができる充電装置を提供することを目的とする。
【課題を解決するための手段】
【０００９】
本発明に係る充電装置は、被充電機器が載置される充電面と、前記充電面上に誘導磁界を発生させる電源コイルとを備え、前記充電面に載置された被充電機器を充電する充電装置であって、前記電源コイルを前記充電面に沿って移動させる駆動部と、ユーザからの前記電源コイルを移動させる指示の入力を受け付ける入力手段と、前記電源コイルの位置をコイル位置として検知するコイル検知部と、前記充電面に設けられた表示部とを備え、前記表示部は、前記コイル検知部の検知結果に基づいて、前記コイル位置を示すコイル図形を表示することを特徴とする。
【００１０】
この構成によると、ユーザが自由に電源コイルを移動させることができるので、被充電機器の形状、サイズなどに応じて、適切な位置に電源コイルを配置することができる。また、表示部にコイル図形を表示することによって、ユーザに電源コイルの位置を視覚的に把握させることができ、効率よく充電できる場所を明示することができる。
【００１１】
本発明に係る充電装置では、前記充電面に被充電機器が載置されたことを検知する機器検知部と、前記電源コイルに電力を供給するか否かを判断する供給判断手段とを備え、前記供給判断手段は、前記機器検知部の検知結果に基づいて、前記電源コイルへの電力の供給を開始させることを特徴とする。
【００１２】
この構成によると、被充電機器が載置されてから電力の供給を開始するので、無駄な電力の消費を防止することができる。
【００１３】
本発明に係る充電装置では、前記充電面に載置された被充電機器と通信する通信手段と、前記通信手段を介して前記被充電機器の充電量を判断する充電量判断手段とを備え、前記供給判断手段は、前記充電量判断手段の判断結果に基づいて、前記電源コイルへの電力の供給を停止させることを特徴とする。
【００１４】
この構成によると、充電量判断手段の判断結果に基づいて電力の供給を停止することで、被充電機器の過充電を防止することができる。
【００１５】
本発明に係る充電装置では、前記充電量判断手段は、前記充電量に基づいて、前記被充電機器の充電が完了したと判断することを特徴とする。
【００１６】
この構成によると、被充電機器の充電量に応じて、適切なタイミングで充電を停止することができる。
【００１７】
本発明に係る充電装置では、前記コイル図形の色を選択する図形色選択手段を備え、前記図形色選択手段は、前記電源コイルに電力が供給されたとき、前記コイル図形の色を変更することを特徴とする。
【００１８】
この構成によると、表示されたコイル図形の色を変更することで、ユーザに被充電機器の充電状況を視覚的に把握させることができ、充電が開始されたことを認識させることができる。
【００１９】
本発明に係る充電装置では、前記図形色選択手段は、前記電源コイルへの電力の供給が停止されたとき、前記コイル図形の色を変更することを特徴とする。
【００２０】
この構成によると、コイル図形を異なる色に変更して表示することで、ユーザに充電が完了したことを認識させることができる。
【００２１】
本発明に係る充電装置では、前記表示部は、前記電源コイルに電力が供給されている間、前記コイル図形の表示を取り消すことを特徴とする。
【００２２】
この構成によると、充電中は電源コイルを移動させる必要が無く、ユーザに位置を認識させなくてもよいので、コイル図形の表示を取り消すことで、省電力化を図ることができる。
【００２３】
本発明に係る充電装置では、ユーザの接近を検知するユーザ検知部を備え、前記表示部は、前記ユーザ検知部の検知結果に基づいて、前記コイル図形を表示することを特徴とする。
【００２４】
この構成によると、ユーザが接近してからコイル図形を表示するので、電力の消費を抑え、省電力化を図ることができる。
【００２５】
本発明に係る充電装置では、前記充電面は、前記表示部と前記入力手段とが一体とされたタッチパネルで構成されていることを特徴とする。
【００２６】
この構成によると、充電面をタッチパネルとすることで、ユーザは電源コイルを移動させる位置を直接入力することができるので、充電装置の操作性を向上させることができる。
【発明の効果】
【００２７】
本発明によると、ユーザが自由に電源コイルを移動させることができるので、被充電機器の形状、サイズなどに応じて、適切な位置に電源コイルを配置することができる。また、表示部にコイル図形を表示することによって、ユーザに電源コイルの位置を視覚的に把握させることができ、効率よく充電できる場所を明示することができる。
【図面の簡単な説明】
【００２８】
【図１】本発明の実施の形態に係る充電装置の概略構成図である。
【図２Ａ】ユーザが入力する前の充電面を示す説明図である。
【図２Ｂ】コイル図形を移動した後の充電面を示す説明図である。
【図２Ｃ】電源コイルを移動した後の充電面を示す説明図である。
【図３】本発明の実施の形態に係る充電装置の充電動作の処理フローを示すフロー図である。
【発明を実施するための形態】
【００２９】
以下、本発明の実施の形態に係る充電装置について、図面を参照して説明する。
【００３０】
図１は、本発明の実施の形態に係る充電装置の概略構成図である。
【００３１】
本発明の実施の形態に係る充電装置１０は、被充電機器１００が載置される充電面１１と、充電面１１上に誘導磁界を発生させる電源コイル１２と、電源コイル１２を充電面１１に沿って移動させる駆動部１３と、ユーザからの電源コイル１２を移動させる指示の入力を受け付ける入力手段１１ｂと、電源コイル１２の位置をコイル位置として検知するコイル検知部１４と、充電面１１に設けられた表示部１１ａとを備えている。表示部１１ａは、コイル検知部１４の検知結果に基づいて、コイル位置を示すコイル図形Ｋｚ（後述する図２Ａないし図２Ｃ参照）を表示する。
【００３２】
充電面１１は、筐体の上面に設けられており、筐体の内部には、充電面１１に沿って電源コイル１２が設けられている。充電面１１は、液晶ディスプレイ（ＬＣＤ）であって、表示部１１ａと入力手段１１ｂとが一体とされたタッチパネルで構成されている。なお、表示部１１ａに表示されるコイル図形Ｋｚおよびユーザからの電源コイル１２を移動させる指示の入力方法については、後述する図２Ａないし図２Ｃに基づいて説明する。上述したように、充電面１１をタッチパネルとすることで、ユーザは電源コイル１２を移動させる位置を直接入力することができるので、充電装置１０の操作性を向上させることができる。
【００３３】
入力手段１１ｂは、充電面１１に接しているユーザの指などを検知するセンサで構成されており、センサの検知結果に基づいて、位置制御手段１９ｄに電源コイル１２を移動させる位置を通知する。
【００３４】
本実施の形態では、充電面１１を表示部１１ａと入力手段１１ｂとが一体とされたタッチパネルで構成したが、これに限定されず、表示部１１ａと入力手段１１ｂとを別に設けてもよい。つまり、入力手段１１ｂを筐体の表面に設けられたボタン等で構成し、充電面１１を表示部１１ａであるＬＣＤで構成してもよい。
【００３５】
電源コイル１２は、充電面１１上に誘導磁界を発生させる一般的なコイルであって、形状やサイズなどは筐体に応じて適宜設計すればよい。電源コイル１２には、電力を供給する電源部１７が接続されている。電源コイル１２によって生じた誘導磁界は、被充電機器１００が有する誘導コイル１０１において電流を誘起させる。
【００３６】
電源部１７は、電源回路であって、外部の電源（図示しない）に接続されており、電流を変換し電圧や周波数を適宜調節する。なお、本発明はこれに限定されず、充電装置１０の内部に電源を備えていてもよい。
【００３７】
駆動部１３は、例えば、アクチュエータなどで構成され、位置制御手段１９ｄから通知された位置に電源コイル１２を移動させる。つまり、位置制御手段１９ｄは、電源コイル１２の移動方向および移動量を制御して電源コイル１２を位置決めする。
【００３８】
コイル検知部１４は、電源コイル１２の位置を検知するセンサである。なお、センサの種類については限定されておらず、例えば、光や電波などで電源コイル１２の存在を検知し、センサで検知した位置を電源コイル１２の基準位置とする構成としてもよい。そして、基準位置からの電源コイル１２の移動方向および移動量に基づいて、コイル検知部１４は、コイル位置を算出する。
【００３９】
また、充電装置１０は、充電面１１に被充電機器１００が載置されたことを検知する機器検知部１５と、電源コイル１２に電力を供給するか否かを判断する供給判断手段１９ａと、充電面１１に載置された被充電機器１００と通信する通信手段１８と、通信手段１８を介して被充電機器１００の充電量を判断する充電量判断手段１９ｂとを備えている。
【００４０】
機器検知部１５は、充電面１１に載置された被充電機器１００を検知するセンサである。なお、本実施の形態では、機器検知部１５で用いるセンサを入力手段１１ｂとして用いてもよい。つまり、充電面１１に接しているのがユーザの指などか被充電機器１００であるかを判断することで、入力手段１１ｂとコイル検知部１４とのいずれで処理するかを決定する。充電面１１に接している対象物を識別する際は、対象物のサイズで判断したり、対象物が充電面１１に接している時間で判断したりすればよい。
【００４１】
なお、機器検知部１５の検知結果に基づいて、位置制御手段１９ｄは、電源コイル１２の位置を微調整してもよい。つまり、被充電機器１００が載置されている位置に対して電源コイル１２が離間している場合、位置制御手段１９ｄは、電源コイル１２を被充電機器１００の直下へ移動させる。ここで電源コイル１２を微調整する距離は、ユーザの指示した位置から大きく移動させず、例えば、０．５ｍｍ程度の短い距離とする。
【００４２】
通信手段１８は、被充電機器１００から送信された信号を復調する回路である。つまり、充電装置１０と被充電機器１００とは、電源コイル１２と誘導コイル１０１との間で信号を送受信しており、通信手段１８は、電源コイル１２が受信した信号を検出して復調することで、被充電機器１００の充電量を検知する。
【００４３】
充電量判断手段１９ｂは、通信手段１８で検知した被充電機器１００の充電量に基づいて、被充電機器１００の充電が完了したかどうかを判断する。
【００４４】
供給判断手段１９ａは、機器検知部１５の検知結果に基づいて、電源コイル１２への電力の供給を開始させる。つまり、充電面１１に被充電機器１００が載置されているとき、電源部１７から電源コイル１２へ電力を供給させる。また、供給判断手段１９ａは、充電量判断手段１９ｂの判断結果に基づいて、電源コイル１２への電力の供給を停止させる。つまり、被充電機器１００の充電が完了したと判断されたとき、電源部１７から電源コイル１２への電力の供給を停止させる。
【００４５】
上述したように、被充電機器１００が載置されてから電力の供給を開始するので、無駄な電力の消費を防止することができる。また、充電が完了したら電力の供給を停止することで、被充電機器１００の過充電を防止することができる。
【００４６】
また、充電装置１０は、ユーザの接近を検知するユーザ検知部１６を備えており、表示部１１ａは、ユーザ検知部１６の検知結果に基づいて、コイル図形Ｋｚを表示する。
【００４７】
ユーザ検知部１６は、充電装置１０の周囲の物体を検知する人感センサであって、予め設定された範囲内の物体の存在を検知したとき、ユーザが接近していると判断する。つまり、充電装置１０を操作するユーザが周囲にいない間は、コイル図形Ｋｚの表示を取り消しておき、ユーザが接近してからコイル図形Ｋｚを表示するので、電力の消費を抑え、省電力化を図ることができる。
【００４８】
また、充電装置１０は、コイル図形Ｋｚの色を選択する図形色選択手段１９ｃを備えている。
【００４９】
図形色選択手段１９ｃは、電源コイル１２に電力が供給されたとき、コイル図形Ｋｚの色を変更する。つまり、表示されたコイル図形Ｋｚの色を変更することで、ユーザに被充電機器１００の充電状況を視覚的に把握させることができ、充電が開始されたことを認識させることができる。さらに、図形色選択手段１９ｃは、電源コイル１２への電力の供給が停止されたとき、コイル図形Ｋｚの色を変更する。つまり、コイル図形Ｋｚを異なる色に変更して表示することで、ユーザに充電が完了したことを認識させることができる。
【００５０】
具体的には、充電面１１に被充電機器１００が載置されるまでは、コイル図形Ｋｚを「青色」で表示し、被充電機器１００が載置され充電している間は、コイル図形Ｋｚを「赤色」で表示し、被充電機器１００の充電が完了すると、コイル図形Ｋｚを「緑色」で表示する。さらに、充電が完了してから所定の時間が経過すると、コイル図形Ｋｚの表示を取り消す。
【００５１】
なお、これに限定されず、コイル図形Ｋｚの色を変更する替わりに、電源コイル１２に電力が供給されている間、コイル図形Ｋｚの表示を取り消してもよい。つまり、充電中は電源コイル１２を移動させる必要が無く、ユーザに位置を認識させなくてもよいので、コイル図形Ｋｚの表示を取り消すことで、省電力化を図ることができる。
【００５２】
なお、供給判断手段１９ａ、充電量判断手段１９ｂ、図形色選択手段１９ｃ、および位置制御手段１９ｄは、充電装置１０が有するＣＰＵ１９に対して予め組み込まれたコンピュータプログラム（コンピュータ）によって実現されている。
【００５３】
被充電機器１００は、例えば、携帯端末、デジタルカメラ、ＰＤＡ、携帯音楽プレーヤなどであって、誘導コイル１０１と、誘導コイル１０１に接続された二次電池１０２と、二次電池１０２の充電量を検知する充電量検知部１０３と、充電装置１０に二次電池１０２の充電量を送信する送信手段１０４とで構成されている。なお、誘導コイル１０１と二次電池１０２とは、整流回路などを介して接続されていてもよく、電圧や周波数などを適宜調節することで効率よく充電できる。
【００５４】
次に、表示部に表示されるコイル図形について説明する。
【００５５】
図２Ａは、ユーザが入力する前の充電面を示す説明図であり、図２Ｂは、コイル図形を移動した後の充電面を示す説明図であり、図２Ｃは、電源コイルを移動した後の充電面を示す説明図である。
【００５６】
図２Ａないし図２Ｃは、充電面１１を平面視した状態を示し、表示部１１ａの下方に電源コイル１２が配置されている。図２Ａに示すように、コイル図形Ｋｚは、電源コイル１２の上方に表示されている。本実施の形態では、コイル図形Ｋｚおよび電源コイル１２は、円形とされているが、サイズや形状を変更してもよい。また、図の見易さを考慮して、コイル図形Ｋｚは、電源コイル１２より大きく表示されているが、コイル図形Ｋｚを電源コイル１２と同一のサイズ及び形状としてもよい。
【００５７】
図２Ｂに示すように、表示部１１ａは、ユーザの指示に応じてコイル図形Ｋｚを表示する位置を変更する。なお、２点鎖線で示すコイル図形Ｋｚは、移動する前のコイル図形Ｋｚであって、表示部１１ａには表示されない。ユーザが電源コイル１２を移動させる指示の入力方法は、特に限定されないが、例えば、表示部１１ａに表示されたコイル図形Ｋｚをドラッグアンドドロップしたり、コイル図形Ｋｚを移動させたい位置をクリックしたりすればよい。
【００５８】
上述したユーザの指示により、図２Ｃに示すように、電源コイル１２は、コイル図形Ｋｚの下方に移動される。なお、２点鎖線で示す電源コイル１２は、移動する前の電源コイル１２の位置を示している。
【００５９】
上述したように、コイル図形Ｋｚは、電源コイル１２に応じた位置に表示される。ユーザは、コイル図形Ｋｚを移動させることで電源コイル１２を移動させる指示を入力することができ、移動させたコイル図形Ｋｚに応じて電源コイル１２が移動される。つまり、ユーザが自由に電源コイル１２を移動させることができるので、被充電機器１００の形状、サイズなどに応じて、適切な位置に電源コイル１２を配置することができる。また、表示部１１ａにコイル図形Ｋｚを表示することによって、ユーザに電源コイル１２の位置を視覚的に把握させることができ、効率よく充電できる場所を明示することができる。
【００６０】
次に、図３を参照して、本発明の実施の形態に係る充電装置における充電動作の処理フローを説明する。
【００６１】
図３は、本発明の実施の形態に係る充電装置の充電動作の処理フローを示すフロー図である。
【００６２】
ステップＳ０１では、コイル検知部１４によって、電源コイル１２の位置を検知して、位置制御手段１９ｄにコイル位置を通知する。
【００６３】
ステップＳ０２では、ユーザ検知部１６によって、ユーザが充電装置１０に接近したかどうかを検知する。ユーザの接近を検知しない場合（ステップＳ０２：ＮＯ）には、ユーザの接近を検知するまで待機する。一方、ユーザの接近を検知した場合（ステップＳ０２：ＹＥＳ）には、ステップＳ０３へ進む。なお、充電装置１０がユーザ検知部１６を備えない構成とした場合は、ステップＳ０２を省略すればよい。
【００６４】
ステップＳ０３では、ステップＳ０１で検知したコイル位置に応じて、表示部１１ａにコイル図形Ｋｚを表示する。
【００６５】
ステップＳ０４では、入力手段１１ｂによって、電源コイル１２を移動させる指示が入力されたかどうかを判断する。その結果、電源コイル１２を移動させる指示が入力された場合（ステップＳ０４：ＹＥＳ）、ステップＳ０５へ進む。ステップＳ０５では、駆動部１３によって、ユーザに指示された位置に電源コイル１２を移動させる。
【００６６】
一方、電源コイル１２を移動させる指示が入力されない場合（ステップＳ０４：ＮＯ）、ステップＳ０６へ進む。つまり、ユーザから指示されていない場合は、電源コイル１２を移動させない。
【００６７】
ステップＳ０６では、機器検知部１５によって、充電面１１に被充電機器１００が載置されたかどうかを判断する。その結果、被充電機器１００が載置された場合（ステップＳ０６：ＹＥＳ）、ステップＳ０７へ進む。一方、被充電機器１００が載置されない場合（ステップＳ０６：ＮＯ）、ステップＳ０４へ戻る。つまり、被充電機器１００が載置されるまで待機する。
【００６８】
ステップＳ０７では、供給判断手段１９ａによって、電源コイル１２への電力の供給を開始させるかどうかを判断する。ここでは、被充電機器１００の充電量に基づいて判断され、被充電機器１００の充電が完了していない場合、充電が開始される。その結果、電力の供給を開始させる判断がされた場合（ステップＳ０７：ＹＥＳ）、ステップＳ０８へ進む。ステップＳ０８では、電源部１７によって、電源コイル１２に電力が供給され、被充電機器１００の充電が開始される。ここで、図形色選択手段１９ｃによって、コイル図形Ｋｚの色を変更してもよい。また、コイル図形Ｋｚの表示を取り消してもよい。
【００６９】
一方、電力の供給を開始させる判断がされない場合（ステップＳ０７：ＮＯ）、ステップＳ１１へ進む。つまり、被充電機器１００の充電が完了していると判断され、充電しない。
【００７０】
ステップＳ０９では、充電量判断手段１９ｂによって、電源コイル１２への電力の供給を停止させるかどうかを判断する。その結果、電力の供給を停止させる判断がされた場合（ステップＳ０９：ＹＥＳ）、ステップＳ１１へ進む。一方、電力の供給を停止させる判断がされない場合（ステップＳ０９：ＮＯ）、ステップＳ１０へ進む。
【００７１】
ステップＳ１０では、機器検知部１５によって、充電面１１に被充電機器１００が載置されているかどうかを判断する。つまり、充電が完了する前に被充電機器１００がユーザに回収されたとき、充電を停止する。その結果、被充電機器１００が載置されている場合（ステップＳ１０：ＹＥＳ）、ステップＳ０９へ戻る。つまり、被充電機器１００が載置されていれば、充電を継続する。一方、被充電機器１００が載置されていない場合（ステップＳ１０：ＮＯ）、ステップＳ１１へ進む。
【００７２】
ステップＳ１１では、電源部１７によって、電源コイル１２への電力の供給を停止し、被充電機器１００の充電を終了して、処理を終了する。ここで、図形色選択手段１９ｃによって、コイル図形Ｋｚの色を変更してもよい。また、コイル図形Ｋｚの表示を取り消していた場合は、コイル図形Ｋｚを再度表示してもよい。
【００７３】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００７４】
１０  充電装置
１１  充電面
１１ａ  表示部
１１ｂ  入力手段
１２  電源コイル
１３  駆動部
１４  コイル検知部
１５  機器検知部
１６  ユーザ検知部
１８  通信手段
１９  ＣＰＵ
１９ａ  供給判断手段
１９ｂ  充電量判断手段
１９ｃ  図形色選択手段
１００  被充電機器
１０１  誘導コイル
Ｋｚ  コイル図形
【図１】
2013243792.tif 000003
【図２Ａ】
2013243792.tif 000004
【図２Ｂ】
2013243792.tif 000005
【図２Ｃ】
2013243792.tif 000006
【図３】
2013243792.tif 000007